(57)【要約】【課題】  利用者がプリント要否を選択可能なカラオケ装置を提供する。【解決手段】利用者に対して各種情報を提示して利用者の操作入力を受け付けることが可能であるとともに、利用者の個人ＩＤの取得が可能なユーザインタフェースと、プリントオブジェクトを印刷可能なプリンタとを備え、利用者の歌唱にともなうイベントの結果の情報を個人ＩＤとともに受け取ると、当該結果情報に基づいて印刷可能な形式のプリントオブジェクトをイベントごとに作成し、当該個人ＩＤに対応づけて記憶手段に格納し、指定された個人ＩＤに対応するイベント別のプリントオブジェクトをリスト形式で利用者に提示し、リストの中から利用者が指定したイベント別プリントオブジェクトを記憶手段から読み出してプリンタに出力するカラオケ装置とする。【選択図】  図６
2005315933.tif 000002
【特許請求の範囲】
【請求項１】
ユーザインタフェースと、プリンタと、制御手段を備えたカラオケ装置であって、
ユーザインタフェースは、利用者に対して各種情報を提示して利用者の操作入力を受け付けることが可能であるとともに、利用者の個人ＩＤの取得が可能であり、
プリンタは、プリントオブジェクトを印刷可能であり、
制御手段は、プリントオブジェクト管理処理と、オブジェクトリスト表示処理と、プリント出力処理とを可能とし、
プリントオブジェクト管理処理は、利用者の歌唱にともなうイベントの結果の情報を個人ＩＤとともに受け取ると、当該結果情報に基づいて印刷可能な形式のプリントオブジェクトをイベントごとに作成し、当該個人ＩＤに対応づけて記憶手段に格納し、
オブジェクトリスト表示処理は、指定された個人ＩＤに対応するイベント別のプリントオブジェクトをリスト形式で利用者に提示し、
プリント出力処理は、リストの中から利用者が指定したイベント別プリントオブジェクトを記憶手段から読み出してプリンタに出力する
カラオケ装置。
【請求項２】
ユーザインタフェースは、演奏がなく演奏予約の待ち行列にリクエスト曲が登録されていない場合に限り、オブジェクトリスト表示処理を可能とする
請求項１に記載のカラオケ装置。
【請求項３】
ユーザインタフェースは、カラオケ装置に付帯する別体のハードウェア装置であって、ディスプレイと、カラオケ装置と双方向通信可能な通信手段を備え、当該ディスプレイを介してオブジェクトリスト表示処理を実行する
請求項１または２に記載のカラオケ装置。
【発明の詳細な説明】
【技術分野】
【０００１】
この発明は、印刷機能を備えたカラオケ装置に関し、特に歌唱者に印刷の要否を選択させる技術に関する。
【背景技術】
【０００２】
カラオケ装置の付帯機能として、カラオケ楽曲の演奏時に、その演奏動作自体の他に、特定の付加機能を実行できるものがある。例えば、歌唱採点機能がよく知られている。この機能は、たとえばカラオケデータの主旋律のピッチ（ピッチ基準値）を採点の基準として、マイクロホンから採取された歌唱者の歌唱音声信号と対比して歌の巧拙を採点するものである。演奏楽曲のカラオケデータからピッチ基準値を逐次取り出すとともに、マイクロホンから入力される歌唱音声信号の歌声ピッチを抽出する。そして、ピッチ基準値と歌声ピッチとを比較し、その比較結果に基づく得点を逐次出力していく。演奏終了時にはそれまでに出力された得点を集計した採点結果をディスプレイに表示したり、採点結果を演奏履歴に加えて記録したり、参加者同士の採点結果を競わせたり（特開２００３−２９５８７２号公報参照）、採点結果をホスト装置にアップロードして当該楽曲についての全国ランキングを表示させたりする（特許第３１３６２７２号公報参照）。
【０００３】
さらに、ビブラートをかけたり「こぶし」や「溜め」を効かせたり個性的な歌い方をした場合にも適正に採点したり（特開平１１−３０５７８６号公報参照）、あらかじめ適宜に設定された区間別に採点し、点数の推移を表示して練習が必要な箇所を示したりして精密な採点情報を表示するもの（特開２００２−３５１４７７号公報参照）も知られている。
【０００４】
また、他の付加機能として、歌唱者によるカラオケ歌唱を伴奏音楽とともに録音し、その録音ファイルをカラオケ事業者が管理する所定のコンピュータに送信してカラオケ事業者に受託するものもある。この付加機能によれば、例えば、特開２００３−１５６７３号公報に記載されているカラオケ通信教習方法のように、利用者は、カラオケ事業者に寄託した録音ファイルを専門の審査員に転送して、精細に添削してもらう検定サービスを受けられる。
【０００５】
その他の付加機能として、特開２００４−２１２２９号公報に開示されているようなゲームを楽しむことが可能なものもある。
【特許文献１】特開２００３−２９５８７２号公報
【特許文献２】特許第３１３６２７２号公報
【特許文献３】特開平１１−３０５７８６号公報
【特許文献４】特開２００２−３５１４７７号公報
【特許文献５】特開２００３−１５６７３号公報
【特許文献６】特開２００４−２１２２９号公報
【発明の開示】
【発明が解決しようとする課題】
【０００６】
上記のような付加機能を実行した利用者は、歌唱している時間を楽しむだけにとどまらず、当該付加機能を実行したというイベントの結果として出力される点数や順位などを楽しみにしている。しかし、その結果がディスプレイに表示されるだけでは、手元には何も残らないので、楽しみもその場限りである。とくに精密採点など、表示内容が他項目にわたる場合には、その場で全てを把握できるとは限らない。そこでイベントの結果をプリントアウトしてあげると、持ち帰って丹念に研究したり、記念に残したり、友人に見せたりして、その後まで余韻を楽しむことができる。
【０００７】
一方、そのようなプリントが必要でない人もいる。不本意な結果に終わったものは結果を手元に残したくないので、プリントされたところでその場で破棄してしまうのがせいぜいである。それではプリントにかかる時間やプリント紙などの資源の無駄遣いであるだけでなく、後味もよくない。却ってそのような付加機能の利用者自体が減ってしまいかねない。  
そうかといって、プリント対象となっているイベントが終わるたびに利用者に問い合わせるのでは、煩わしいし、歌いたいだけの他の利用者の歌唱の機会を奪いかねない。
【０００８】
そこで本発明者は、プリントするための専用メニューを用意しておき、利用者別に実行済みのプリント対象のイベント一覧を表示して、適宜な期間に利用者自身にプリントが必要なものを選択してもらえばよいと考え、本発明を創作した。
【課題を解決するための手段】
【０００９】
上記目的を達成するために、この発明は、次の事項（１）〜（７）により特定されるものとする。  
（１）ユーザインタフェースと、プリンタと、制御手段とを備えたカラオケ装置であること、
（２）ユーザインタフェースは、利用者に対して各種情報を提示して利用者の操作入力を受け付けることが可能であるとともに、利用者の個人ＩＤの取得が可能であること、
（３）プリンタは、プリントオブジェクトを印刷可能であること、
（４）制御手段は、プリントオブジェクト管理処理と、オブジェクトリスト表示処理と、プリント出力処理とを可能とすること、
（５）プリントオブジェクト管理処理は、利用者の歌唱にともなうイベントの結果の情報を個人ＩＤとともに受け取ると、当該結果情報に基づいて印刷可能な形式のプリントオブジェクトをイベントごとに作成し、当該個人ＩＤに対応づけて記憶手段に格納すること、
（６）オブジェクトリスト表示処理は、指定された個人ＩＤに対応するイベント別のプリントオブジェクトをリスト形式で利用者に提示すること、
（７）プリント出力処理は、リストの中から利用者が指定したイベント別プリントオブジェクトを記憶手段から読み出してプリンタに出力すること、
【００１０】
この発明において、望ましくは、ユーザインタフェースは、演奏がなく演奏予約の待ち行列にリクエスト曲が登録されていない場合に限り、オブジェクトリスト表示処理を可能とするものとする。
【００１１】
また望ましくは、ユーザインタフェースは、カラオケ装置に付帯する別体のハードウェア装置であって、ディスプレイと、カラオケ装置と双方向通信可能な通信手段とを備え、当該ディスプレイを介してオブジェクトリスト表示処理を実行するものとする。
【００１２】
この発明の上記の構成において、イベントとは、利用者がカラオケ装置の機能を具体的に利用してなしたひとまとまりの行為、または、その行為に付随して実行された一連の情報処理のことを意味する。また、イベント別のプリントオブジェクトとは、利用者の具体的なカラオケ利用行為に基づいてカラオケ装置が生成するひとまとまりの意味を有する印刷出力用の情報のことを意味する。
【発明の効果】
【００１３】
本発明のカラオケ装置によれば、手元に残したい歌唱結果を印刷出力できるので、カラオケの場だけでなくその後まで余韻を楽しむことができる。しかも、不本意な結果であったりして手元に残したくない歌唱結果を除いて、利用者が必要とするものだけを印刷できるので、時間や資源の無駄がない。また、他の利用者の歌唱の機会を奪ったりすることがないので、気兼ねなく利用することができる。そのため、結果を印刷できるカラオケ関連の付加機能の利用が増大し、全体としてカラオケ利用の機会が増大する効果を期待できる。
【発明を実施するための最良の形態】
【００１４】
＝＝＝カラオケ装置を含むネットワーク構成＝＝＝
図１は、本発明の実施例におけるカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置（カラオケ本体装置１０およびそれに付帯する機器）が設置され、カラオケ本体装置１０はＶＰＮ７０を介してホスト装置９０と通信する。
【００１５】
カラオケ本体装置１０には、ユーザインタフェース装置として、操作パネル１４や電子目次本と呼ばれる楽曲検索機能を備えた多機能リモコン装置３０が付帯している。  
多機能リモコン装置３０は赤外線信号によりカラオケ本体装置１０の受光部１５に演奏予約コマンドをはじめとする各種コマンドを送信する。この多機能リモコン装置３０は内蔵２次電池により動作し、その２次電池を充電するための充電架台５０を付帯している。この架台５０はＲＳ２３２Ｃなどの所定規格の通信インタフェースを備え、カラオケ本体装置１０が装備する同規格の通信インタフェースと相互に接続されている。そして、多機能リモコン装置３０がこの充電架台５０に装着されると、多機能リモコン装置３０とカラオケ本体装置１０とがこの充電架台５０を介して通信するように構成されている。  
なお、多機能リモコン装置３０とカラオケ装置１０の間は、ＩＥＥＥ８０１．１１ｘ（ｘはａ，ｂ，ｇなど）規格の無線ＬＡＮなどの双方向通信としてもよい。もちろん、無線ＬＡＮであれば演奏予約コマンドをＬＡＮ経由で操作対象となるカラオケ装置１０に送信することもできる。
【００１６】
また、特に本実施例においては、カラオケ店舗１００内のＬＡＮ１１０には１台の管理コンピュータ４０が設置されている。この管理コンピュータ４０には、カラオケ本体装置１０の周辺機器の一つとしてのプリンタ４１が、ＵＳＢ規格などの周知の通信インタフェースを介して接続されている。各カラオケ装置１０から転送されたプリント対象のデータをプリンタ内のメモリにビットマップ展開して印刷可能である。  
以下、本実施例においてはこのカラオケ本体装置１０をカラオケ装置１０と称するものとする。
【００１７】
＝＝＝カラオケ装置の基本的な構成と動作＝＝＝
図２は本実施例のカラオケ装置１０の機能ブロック構成である。カラオケ装置１０は、周知の通信カラオケシステムの演奏端末とほぼ同様のハードウエア構成である。中央制御部１１はＣＰＵ・ＲＡＭ・ＲＯＭを含むコンピュータ本体であり、各周辺構成部を制御してカラオケ装置１０を統括する。ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１８】
中央制御部１１は、ネットワークインタフェース２３を介してホスト装置９０と通信する。ホスト装置９０は、カラオケ装置１０に向けて新譜楽曲についてのカラオケデータ、台本データ、目次情報などを適時に配信したり、カラオケ装置１０にて随時収集される稼働ログなどを集信したりする。中央制御部１１は、ホスト装置９０から送付されたカラオケデータを受け取ってカラオケデータベースの内容を更新したり、カラオケ装置１０側にて収集される稼働ログなどの各種情報をホスト装置９０に送信したりする。
【００１９】
カラオケ装置１０の操作制御部１３は、利用者入力により操作入力器を介して演奏予約コマンドのコードおよび当該操作入力器の機器ＩＤを受け取ると、それらを中央制御部１１に転送する。中央制御部１１は、そのコマンド中の楽曲番号を内部のＲＡＭに格納して演奏予約の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００２０】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００２１】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００２２】
＝＝＝多機能リモコン装置３０＝＝＝
多機能リモコン装置３０は、液晶ディスプレイ（ＬＣＤ）とタッチセンサとを積層したタッチパネルを主体としたユーザインタフェースを備え、内蔵するフラッシュメモリにはカラオケ装置１０に蓄積されているものと同様の目次情報や、タッチパネルに表示される各種画像情報などが蓄積されている。リモコン制御部がＣＰＵ、ＲＡＭ、ＲＯＭ、ビデオＲＡＭなどを含み、タッチパネルへの入力情報に基づいて各種画像情報や文字情報をビデオＲＡＭにビットマップ展開し、そのビットマップデータに基づいてＬＣＤドライバを駆動してタッチパネルに適宜な情報を表示する。また、フラッシュメモリに蓄積されている目次情報を楽曲索引データベースとして管理している。
【００２３】
また、タッチパネルには、歌唱採点機能や歌唱録音機能、検定サービスなど、カラオケ演奏とともに利用できる付加機能の起動を指示するためのボタンと、本発明に係るプリント機能の起動を指示するためのボタンが適宜に配設されている。
【００２４】
リモコン制御部は、タッチパネルを介した利用者との対話を通じて目次情報の断片をクエリーとして受け付け、該当するカラオケ楽曲の目次情報を楽曲索引データベースより取り出して提示する。そして、多機能リモコン装置３０において、最終的にカラオケ楽曲が１曲に特定され、その楽曲を演奏予約する旨の利用者入力がなされると、リモコン制御部が楽曲番号を含む演奏予約コマンドのコードを生成し、ＬＥＤを介してこのコードを含む赤外線信号を送出する。
【００２５】
＝＝＝個人ＩＤの取得＝＝＝
本実施例のカラオケ装置１０は、操作パネル１４や多機能リモコン装置３０を介して各利用者を特定するための個人ＩＤの取得が可能に構成されている。たとえば、多機能リモコン装置１０のユーザインタフェースを介して、各利用者に対応する個人識別標章をあらかじめ作成して個人ＩＤとして登録しておく。この利用者が各種イベントの起動を指示するに際して、登録されている個人識別標章の一覧の中から自分用の標章を指定することにより、個人ＩＤが入力される。
【００２６】
個人ＩＤとしては、このような個人識別標章のほか、カラオケ事業者が割りふった記号や、氏名、電話番号、ニックネームに加え、指紋、虹彩など、個人を特定できる情報であれば、形式は限定されない。
【００２７】
＝＝＝歌唱採点機能＝＝＝
本カラオケ装置１０は、歌唱採点部２５により実行される上述の歌唱採点機能を備えている。中央制御部１１は、歌唱採点機能を利用する旨の利用者入力を受け付けると、演奏楽曲のカラオケデータに含まれる主旋律のピッチを逐次歌唱採点部２５に転送していく。歌唱採点部２５は、マイクロホン２２から入力される歌唱音声信号をサンプリングしてデジタル歌声データに変換し、この歌声データから歌声ピッチを抽出する。そして、ピッチ基準値と歌声ピッチとを比較し、その比較結果に基づく得点を、例えば１小節ごとなど、適宜な区間毎に１００点満点の得点を逐次出力していく。中央制御部１１は、演奏終了後など全歌唱パートの演奏が終わった時点で、それまでに歌唱採点部２５から逐次出力された得点を集計し、その平均得点（最終得点）を採点結果としてディスプレイ１８に表示するとともに、採点結果を一時記憶する。
【００２８】
ホスト装置９０は、各地のカラオケ装置１０から採点結果を個人ＩＤ・楽曲ＩＤとともに適宜な機会に集信し、個人ＩＤをキーにイベント履歴として管理するとともに、得点の高い順に並べ替えて各採点結果に順位を付与したランキングデータを作成しておく。各カラオケ装置１０は、歌唱採点機能の起動にあたってホスト装置９０からランキングデータを取り寄せておく。そうすると、採点が済んだばかりの得点がランキングデータのどこに位置するか（ランキング情報）をリアルタイムに表示することもできる（全国ランキング）。このランキング情報もイベント履歴の一つに加えて記憶しておく。
【００２９】
また、特開２００２−３５１４７７号公報に詳しく開示されているような区間別に採点したり評価に則したアドバイスを表示したりする精密採点機能も備えている。精密採点機能を起動した場合には、区間ごとに採点結果やアドバイス内容などを記録した評価ファイルを作成する。ホスト装置９０はこのような評価ファイル（またはその所在情報）も集信する。
【００３０】
＝＝＝歌唱録音機能＝＝＝
このカラオケケ装置１０は、伴奏音楽とそれに合わせて歌う歌唱者の歌声とを楽曲単位の録音作品として録音するための歌唱録音機能を備えている。  
音声信号処理部２６は、シンセサイザ１９からのリクエスト曲の伴奏音楽とマイクロホン２２に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルに作成し、このファイルを歌唱録音作品としてリクエスト曲の楽曲ＩＤに対応付けして内蔵のハードディスク装置１２に一時的に保存する。
【００３１】
利用者（検定受験生）は、このようにして作成した歌唱録音作品を、カラオケ事業者が運営する検定サーバーに転送して預託しておく。各歌唱録音作品には、適宜に指導教師が割り当てられる。指導教師は検定サーバーにアクセスし、歌唱録音作品を再生するとともに、歌唱指導ビデオを制作編集してＭＰＥＧ形式の添削指導ファイルを作成し、楽曲ＩＤや検定受験生の個人ＩＤ、受験日時や評価得点や認定した段位などの情報を対応付けして検定サーバーに返送する。ホスト装置９０は適宜な機会に検定サーバーと通信し、個人ＩＤ・楽曲ＩＤ・歌唱日時・評価得点・認定段位などの情報やとともに歌唱添削ファイルの所在情報等を集信し、個人ＩＤをキー情報としたイベント履歴として記憶しておく。
【００３２】
＝＝＝個人別イベント履歴簿の構成とプリントデータ＝＝＝
ホスト装置９０では、集信した各種のイベント履歴を個人ＩＤをキーにして個人別イベント履歴簿として管理している。個人別イベント履歴簿は、図３にその論理構成を例示したように、個人ＩＤごとに、楽曲ＩＤとイベント種別と、各イベントにおいて収集された適宜な期間のイベント履歴の情報を集約したものである。イベント履歴の情報はイベント種別（精密採点、全国ランキング、検定など、利用者が指定したイベントの種類）により収集される項目が異なるが、各イベントの実施日や得点、ランキング情報や認定段位、評価ファイルや歌唱添削ファイルの格納場所などが集約される。
【００３３】
カラオケ装置１０は、操作パネル１４や多機能リモコン装置３０を介して個人ＩＤを取得した際などに、ホスト装置９０からこの個人ＩＤに対応する個人別イベント履歴を取り寄せておく。この際に、各イベント履歴にイベントＩＤを付与し、イベントＩＤにより特定可能に構成する。なお、イベントＩＤをホスト装置９０で付与してもよい。
【００３４】
また、カラオケ装置１０では、印刷可能な形式の画像フォーマットデータをイベント種別ごとに保有している。したがって、イベントＩＤが特定されると、当該イベント用のフォーマットデータに当該イベント履歴の情報（楽曲名や成績等）をあてはめることにより、画像形式のプリントデータ（プリントオブジェクト）を作成可能である。
【００３５】
たとえば、イベント種別が検定サービスの場合には、認定された段位の情報に基づいて、段位認定書を表示・印刷可能である。また、イベント種別が精密採点の場合には、図４に例示したように、音程やリズムなどの各評価項目についての各得点や歌唱タイプのイメージ等を表示・印刷可能である。その他、イベント種別が全国ランキングの場合には、歌唱後に確定した全国ランキングの証明書を、またイベント種別が歌唱検定や歌唱オーディションの場合に歌唱録音作品がサーバーに転送されると、エントリー証明書が表示・印刷可能である。
【００３６】
さらに、多機能リモコン装置３０では、適宜な機会にカラオケ装置１０と通信してカラオケ装置１０が保有する個人別イベント履歴を取り寄せて、適宜な記憶部に管理しておく。
【００３７】
＝＝＝プリントオブジェクトの指定と出力＝＝＝
本実施例は、各自のイベント履歴をプリントしたい場合に、多機能リモコン装置３０を用いてプリント対象のイベントを指定すると、店舗内の管理コンピュータ４０に付帯するプリンタ４１から印刷出力されるものである。利用者が多機能リモコン装置３０のトップメニュー（図５参照）にて「印刷」メニュー１２１を指示すると、図６（Ａ）に例示したように、登録（ログイン）されている利用者の個人識別標章が一覧表示される。
【００３８】
その中から自分用の個人識別標章を選択すると、当該利用者のイベント履歴がわかるように一覧表示される。たとえば、図６（Ｂ）に例示したように、イベント種別や成績（順位や点数など）に基づいて、楽曲名やイベント名・成績等が一覧的に表示される。
【００３９】
その一覧の中から利用者が最終的に印刷したいイベントを指定して「印刷実行」ボタン１２２を指示すると、イベントＩＤを含んだ印刷コマンドがカラオケ装置１０に向けて送信される。カラオケ装置１０では、イベントＩＤによって特定されたイベント履歴を取り出す。そして、イベント種別や成績等に基づいて、印刷可能な形式のプリントデータを作成する。このようにして作成したプリントデータを管理コンピュータ４０を介してプリンタ４１に転送すると、プリンタ４１が印刷出力する。
【００４０】
このように希望の印刷対象を指定できると、たとえば、図６（Ｂ）の例では、Ａさんは同一曲「梅坂」について２回歌唱しているが、採点結果との関係で認定された段位が低い方は印刷したくないが、高い方は印刷して手元に残しておきたい、といった場合に便利である。同様に、同一曲「青春時代」について、全国ランキングの高い方だけ残しておきたいといった場合にも便利である。
【００４１】
なお、プリントデータは、カラオケ装置のディスプレイや多機能リモコン装置３０のタッチパネル等で印刷イメージのプレビューも可能である。  
また、プリント機能は、待ち行列に次のリクエスト曲が登録されていない期間や演奏の合間などにのみ起動できるようにすることも可能である。起動できない期間では、上記トップメニューの「印刷」メニュー１２１の操作ボタンを不活性化するなどして、利用者のイベント履歴のリストが表示されないようにしておく。こうすると、他の利用者の歌唱機会を奪う心配がなく、安心して気軽にプリント機能を楽しめる。
【００４２】
ネットワーク構成は上記に限定されず、多様な形態が可能である。たとえば、プリンタはカラオケ装置１０に対して１対１に接続されるものであってもよい。また、ユーザインタフェース装置として、多機能リモコン装置３０とは別の汎用コンピュータをカラオケ装置１０に接続して利用する形態も可能である。さらに、以上に説明した多機能カラオケリモコン装置３０やホスト装置９０の機能を一体的に実装したカラオケ装置１０も本発明の適用範囲内であることはいうまでもない。
【００４３】
以上に説明したカラオケ装置によれば、利用者が印刷したい歌唱結果だけを選択して適宜な機会に印刷することができる。
【図面の簡単な説明】
【００４４】
【図１】本発明の実施例におけるカラオケ装置を含むネットワーク構成図である。
【図２】上記カラオケ装置の機能ブロック図である。
【図３】本実施例の個人別イベント履歴簿の論理構成を例示した図である。
【図４】本実施例における精密採点結果の印刷イメージ図である。
【図５】本実施例のユーザインタフェース装置のトップ画面を例示した図である。
【図６】本実施例におけるプリント機能起動時の画面遷移例である。
【符号の説明】
【００４５】
１０  カラオケ装置
１１  中央制御部
１２  ハードディスク装置
１４  操作パネル
３０  多機能リモコン装置
４１  プリンタ
【図１】
2005315933.tif 000003
【図２】
2005315933.tif 000004
【図３】
2005315933.tif 000005
【図５】
2005315933.tif 000006
【図４】
2005315933.tif 000007
【図６】
2005315933.tif 000008